(57)【要約】      （修正有）【課題】既設のエアコン室外機に特殊セラミック塗料を塗布する節電効果を現場で検査する方法を提供する。【解決手段】同じ能力のエアコン室外機を複数台設置している建築物を対象にして、エアコン室外機への特殊セラミック塗装あり、塗装なしの検査環境を形成、両方の電源回路にロガー付電力計を設置、数日間の電力を計測後、当該検査データを比較することにより節電効果を検証する。【選択図】図３
2015064124.tif 000002
【特許請求の範囲】
【請求項１】
複数台のエアコン室外機のある建築物において、ほぼ同じ能力で同じ使用環境にあるエアコン室外機、2台を選定し、一方に特殊セラミック塗料を塗布し、他方を特殊セラミック塗装なしの検査環境を形成、両方のエアコン室外機の電源回路にロガー付電力計を設置、数日間の電力量を計測後、当該電力量を比較することを特徴とするエアコン室外機への特殊セラミック塗料の塗布に伴う節電効果の検査方法。
【発明の詳細な説明】
【技術分野】
【０００１】
本発明は、特殊セラミック塗料（以下、遮熱塗料と言う）をエアコン室外機に塗布したことによる節電効果を検証する検査方法に関する。
【背景技術】
【０００２】
我が国の夏季気候は、高温、多湿で建築物へのエアコンの設置は必須の設備である。特に工場のトタン屋根への日射量は大きく、工場建物に浸入した熱量をエアコンで屋外に排出することは、熱中症等の従業員の健康リスクへの対応から必要である。
さらに、２０１１年３月１１日の東日本大震災に伴い発生した原子力発電の事故により夏季気候の電力不足、特に１０時〜１７時のピーク時の電力不足への対応策が国民に求められている状況がある。
【０００３】
前記の課題の解決策として、工場等では電力のデマンド監視装置を導入して、エアコン
の稼働を強制的に停止するなど各種の省エルギーネ策を採用、エネルギー使用の合理化に
関する法律並びに電気事業法等の規制に対応している環境がある。
【０００４】
近年、省エネルギー手段の一つとして、遮熱塗料を工場等の屋根、特にトタン屋根が多い生産工場で採用され、普及が進んでいる。
【０００５】
前記したこれらの環境に対応して、遮熱塗料の応用事例としてエアコン室外機に遮熱塗料を塗布することによるエアコンの節電効果が期待できることは容易に推測できる。
しかし、その節電効果を検証するためには、単に電力計をエアコンの電源回路に挿入し、電力使用量を塗装前と塗装後で比較するだけでは要求するデータの抽出には至らない課題があった。
【０００６】
なぜならば、次の２つの誤差要因が検査データに大きく影響するので、これらを排除した検査方法を考案することなしには、信頼できる検査データとはならない。
誤差要因１：エアコンは、外気温度の変化により、電力使用量は大きく変化する機器であるので、一般的には外気温度の変化の影響を排除することは難しい。
誤差要因２：また、エアコンは、室内の負荷変動を吸収して設定した温度に室内を一定に保つ機器であるので、負荷変動に対応して電力使用量は比例する。したがって、単体のエアコンの検査データの中から遮熱塗料の節電効果のみを抽出することはできない。エアコンの性能を比較検査するには、常時、室内熱負荷の変動を勘案して、その影響を補正するように監視する必要がある。
【０００７】
なお、大手エアコンメーカは前記の誤差要因の課題を克服してエアコン機器の性能を検
査するために多額の資金を投入して恒温・恒湿の大型の試験棟を建設している。試験棟は
誤差要因１、２を排除した試験設備であるので、エアコンの性能変化の良否を検査できる。
現場でエアコンの性能を検査するためには、上記した２つの誤差要因を排除した検査方
法を考案する必要があった。
【０００８】
上記した課題を解決する先行特許を調査したところ、類似の評価装置として、下記の特
許文献１及び特許文献２がある。
【０００９】
特許文献１記載の遮熱塗料膜の評価装置は、需用者向けに遮熱塗料の性能、優位性を直感的に理解していただくことを目的にした模擬実験装置であり、本発明とは、手段、目的が大きく異なるものである。
【００１０】
特許文献２は、発明者等がエアコン洗浄に伴い派生する電気使用量の削減量を計測するために考案した検査装置に関するものである。本発明と目的は同じであるが、手段が全く異なるものである。
【先行技術文献】
【特許文献】
【００１１】
【特許文献１】特開２００５―２４２５２号公報
【特許文献２】特開２０１０―０５４１８１号公報
【発明の概要】
【発明が解決しようとする課題】
【００１２】
本発明が解決する課題は、既設のエアコンに関する節電課題の解決手段の提供並びにどの程度の節電効果が得られたかを具体的に検証する検査方法に関するものである。
【課題を解決するための手段】
【００１３】
本発明は、前記の課題に鑑みてなされたもので、請求項１に記載の発明は、同じ能力のエアコン室外機を複数台設置している建築物を対象にして、エアコン室外機への遮熱塗装ありと遮熱塗装なしの検査環境を形成、両方の電源回路にロガー付電力計を設置、当該検査データを比較することを特徴とする検査方法を提供するものである。
【発明の効果】
【００１４】
本発明では、２台の同じ能力を有するエアコン室外機を対象に比較検査を行うことを特徴にしている。一方に遮熱塗料を塗布、他方を塗布なしの検査環境を設営し、それぞれの電源回路に電力計を設置、数日間の電力量の検査データを集計、比較することにより実現している。
【００１５】
このようにすることにより、前記した検査の誤差要因１，２を排除した検査システムとしているので、実際に役立つ、精度の良い信頼できる検査データが得られる効果がある。
【図面の簡単な説明】
【００１６】
【図１】図１は、本発明の検証検査を実施した食品工場のレイアウト及びエアコンの配置図である。
【図２】図２は、図１の配置図に示す室外機の設置状況の写真である。
【図３】図３は、６月の３０日間の電力の比較検査データのグラフの例である。
【図４】図４は、図３を分析したデータのグラフである。
【図５】図５は、図３の分析データで、夜間の節電効果を説明するためのグラフである。
【発明を実施するための形態】
【００１７】
本発明の詳細を以下、図１〜図５により記述する。
図１は、本発明の検証のために試験を実施した食品工場のレイアウト及びエアコンの配置図である。
図１において、冷凍室Ｃと冷凍室Ｄは同じサイズ、同じ容積の部屋でそれぞれに室内機１，２を設置、これらは対応する室外機３，４に接続されている。両室とも庫内は常時マイナス２５℃になるように一定に制御されている。
【００１８】
今回、冷凍室Ｄに対応する室外機４に遮熱塗料を塗布して、塗布しない室外機３との電力使用量を1時間毎に計測、記録した。それぞれの計測データを回収して比較した。
【００１９】
図２は、室外機３，４の設置環境の写真である。室外機４の筐体全体に遮熱塗料を塗布した。写真に示す室外機４の壁側に貼り付けてあるのは、節電効果の増大を期待してベニヤ板に遮熱塗料を塗布したパネルである。しかし、その後の検証試験で、ベニヤ板の遮熱塗料による節電効果への影響は無視できるレベルであったことを確認した。
【００２０】
図３は、２０１３年６月の1か月（３０日）間に渡り試験したデータのグラフである。電力量Ｐｃ、Ｐｄ（ｗ）は、それぞれ１時間毎、１日に２４回を計測、その平均値のデータである。電力量比、Ｐｄ/Ｐｃ＝０．８９となり、１１％の節電効果を確認した。
【００２１】
図３において、６月２日、６月９日、６月１６日、６月２３日に対応する棒グラフの値
はその他の日（工場稼働日）の約５０％程度の値である。この日は工場の休業日で、冷凍
室Ｃ，Ｄからの食材の出し入れはないので、室内の熱負荷変動がなく電力の消費量が少な
いからである。
【００２２】
なお、冷凍室Ｃ，Ｄには冷凍食材が入っており、工場の稼働日には加工場での作業の
ため食材を取り出している。６月の１か月間では、冷凍庫のドアーの開閉回数はほぼ同じ
であった。
【００２３】
図４、図５は図３の検査データを分析したグラフである。
図において、横軸の６０２,６０９,６１６は６月２日、６月９日、６月１６日の休業日（日曜日）のデータである。熱負荷変動のない工場の休業日を選定、検査データを比較した。
図４は、昼夜２４時間のデータであり、図５は、その内の夜間、１８時から翌朝６時までの電力量を抽出して、比較したものである。
【００２４】
図４、図５の両方の図において、塗装ありＰｄは塗装なしＰｃに比べて約１０％程度小さい値を示している。
【００２５】
当初の予測では、昼間の太陽が照りつける時間帯は遮熱効果で節電効果があり、夜間は節電効果がないとの見透視であったが、事実は、遮熱塗料を塗布した室外機４は昼夜に関係せず２４時間節電効果があることを発見した。
【産業上の利用可能性】
【００２６】
本発明は、空冷式のパッケージ型エアコンの室内機を対象に実施したが、比較的大型の水冷式空調機の室外機、クーリングタワーにも同じ検査方法が適用できる。
【符号の説明】
【００２７】
１      冷凍室Ｃの室内機
２      冷凍室Ｄの室内機
３      冷凍室Ｃの室外機
４      冷凍室Ｄの室外機
Ｐｃ    室外機Ｃの電力量（1日の平均値）
Ｐｄ    室外機Ｄの電力量（1日の平均値）
【図２】
2015064124.tif 000003
【図３】
2015064124.tif 000004
【図４】
2015064124.tif 000005
【図５】
2015064124.tif 000006
【図１】
2015064124.tif 000007